(57)【特許請求の範囲】
【請求項１】
騒音振動測定における識別を要する音の録音方法であって、過去のある測定時間内に測定されると共に、ある時間間隔毎に更新される騒音レベルについて２種類の時間率騒音レベルＬxを前記ある時間間隔毎に計算し、それらの差が所定の値より小さい場合には所定時間だけ録音することを特徴とする騒音振動測定における音の録音方法。
【請求項２】
騒音振動測定における識別を要する音の録音方法であって、過去のある測定時間内に測定されると共に、ある時間間隔毎に更新される騒音レベルについて時間率騒音レベルＬxと等価騒音レベルＬeqを前記ある時間間隔毎に計算し、それらの差が所定の値より小さい場合には所定時間だけ録音することを特徴とする騒音振動測定における音の録音方法。
【請求項３】
騒音振動測定における識別を要する音の録音方法であって、仮録音を常に行い、ある測定時間毎に測定した騒音レベルについて２種類の時間率騒音レベルＬxを計算し、それらの差が所定の値より小さかった録音区間の録音データを有効にすることを特徴とする騒音振動測定における音の録音方法。
【請求項４】
騒音振動測定における識別を要する音の録音方法であって、仮録音を常に行い、ある測定時間毎に測定した騒音レベルについて時間率騒音レベルＬxと等価騒音レベルＬeqを計算し、それらの差が所定の値より小さかった録音区間の録音データを有効にすることを特徴とする騒音振動測定における音の録音方法。
【請求項５】
騒音計又は振動計と、これらの騒音計又は振動計が出力する騒音又は振動の測定値データ及び音信号を演算処理する処理手段と、この処理手段が出力する制御信号により前記音信号を録音する録音媒体からなる実音モニターシステムに、請求項１乃至請求項４のいずれかに記載の騒音振動測定における音の録音方法を適用したことを特徴とする騒音振動測定における音の録音装置。
【発明の詳細な説明】
【０００１】
【発明の属する技術分野】
本発明は、騒音振動測定における識別を要する音の録音方法及びそれを用いた装置に関する。
【０００２】
【従来の技術】
従来、長時間の騒音振動測定を行う場合に、録音機能を備えた実音モニターシステムを用いて現場の音を必要に応じて録音し、この音を後で聞くことにより、不要な音であるか否かを判定し、不要な音が生じていた時の騒音レベル又は振動レベルを測定データから除外することが知られている。
【０００３】
自動測定する場合には、測定前にある条件を設定し、ある条件を満たした時に録音を開始するようにしている。例えば、図７（ａ）に示すように、騒音レベルのサンプリング値（瞬時値）Ｌpがある設定レベルＬrを超えた時（Ｌp＞Ｌr）に録音を開始したり、または図７（ｂ）に示すように、一定時間間隔ｔ20（例えば、５分）毎にある時間ｔ21（例えば、１５秒）だけ録音したりしていた。
【０００４】
【発明が解決しようとする課題】
しかし、騒音レベルのサンプリング値Ｌpが、ある設定レベルＬrを超えた時（Ｌp＞Ｌr）に録音を開始したり、または一定時間間隔ｔ20毎にある時間ｔ21だけ録音したりする方法では、事前に適切な設定値（Ｌr，ｔ20，ｔ21など）を決める必要があり、これらの設定値を決めるためにはそれなりの経験やノウハウが必要であった。
また、これらの設定値を決めて測定を開始しても、長時間の騒音振動測定では、測定中の環境変化に対応できず、識別を要する音を完全に録音することができないこともあるという問題があった。
【０００５】
本発明は、従来の技術が有するこのような問題点に鑑みてなされたものであり、その目的とするところは、経験やノウハウなどに頼らずに測定環境の変化に応じて識別を要する音を録音することができる騒音振動測定における音の録音方法及びそれを用いた装置を提供しようとするものである。
【０００８】
請求項１に係る発明は、騒音振動測定における識別を要する音の録音方法であって、過去のある測定時間内に測定されると共に、ある時間間隔毎に更新される騒音レベルについて２種類の時間率騒音レベルＬxを前記ある時間間隔毎に計算し、それらの差が所定の値より小さい場合には所定時間だけ録音する。
【０００９】
請求項２に係る発明は、騒音振動測定における識別を要する音の録音方法であって、過去のある測定時間内に測定されると共に、ある時間間隔毎に更新される騒音レベルについて時間率騒音レベルＬxと等価騒音レベルＬeqを前記ある時間間隔毎に計算し、それらの差が所定の値より小さい場合には所定時間だけ録音する。
【００１０】
請求項３に係る発明は、騒音振動測定における識別を要する音の録音方法であって、仮録音を常に行い、ある測定時間毎に測定した騒音レベルについて２種類の時間率騒音レベルＬxを計算し、それらの差が所定の値より小さかった録音区間の録音データを有効にする。
【００１１】
請求項４に係る発明は、騒音振動測定における識別を要する音の録音方法であって、仮録音を常に行い、ある測定時間毎に測定した騒音レベルについて時間率騒音レベルＬxと等価騒音レベルＬeqを計算し、それらの差が所定の値より小さかった録音区間の録音データを有効にする。
【００１２】
請求項５に係る発明は、騒音計又は振動計と、これらの騒音計又は振動計が出力する騒音又は振動の測定値データ及び音信号を演算処理する処理手段と、この処理手段が出力する制御信号により前記音信号を録音する録音媒体からなる実音モニターシステムに、請求項１乃至請求項４のいずれかに記載の騒音振動測定における音の録音方法を適用した。
【００１３】
【発明の実施の形態】
以下に本発明の実施の形態を添付図面に基づいて説明する。ここで、図１は本発明に係る騒音測定における音の録音装置のブロック構成図、図２は本発明の第１の実施の形態の説明図、図３は本発明の第２の実施の形態の説明図、図４は本発明の第３の実施の形態の説明図、図５は本発明の第４の実施の形態の説明図、図６は本発明の第５の実施の形態の説明図である。
【００１４】
本発明に係る騒音測定における音の録音装置は、図１に示すように、音響信号をマイクロホンで取り込んで電気信号に変換して騒音に関する測定値データや交流出力信号（録音される音信号）などを出力する騒音計１と、騒音計１が出力する測定値データを演算処理して録音の開始・停止を決定する条件式に当てはめて録音制御信号を出力し、また騒音計１が出力する交流出力信号（録音される音信号）を増幅などして出力する処理手段２と、処理手段２が出力する録音制御信号に基づいて交流出力信号（録音される音信号）を録音する録音媒体３からなる。なお、本発明の実施の形態では、本発明を騒音測定に適用しているが、振動測定に適用できることは言うまでもない。
【００１５】
本発明に係る騒音測定における音の録音方法の第１の実施の形態は、図２に示すように、過去の測定時間ｔ1（例えば、１分）内にサンプリング周期Ｔ（例えば、１００ｍｓ）で測定した騒音レベルについて等価騒音レベルＬeqをある時間間隔ｔ2（例えば、３分）毎に計算し、騒音レベルのサンプリング値Ｌpが、等価騒音レベルＬeqよりも所定レベル（例えば、１０ｄＢ）高い間（Ｌeq＋１０＜Ｌp）だけ録音するものである。
【００１６】
騒音レベルが時間とともに変化する場合、測定時間ｔ1（例えば、１分）内で騒音レベルと等しいエネルギーを持った連続定常音の騒音レベルを表す等価騒音レベルＬeqに、所定レベル（例えば、１０ｄＢ）を加算することにより、騒音レベルのサンプリング値Ｌpが不要な音の存在によって高くなったか否かの判定が容易になる。従って、条件式（Ｌeq＋１０＜Ｌp）を満たす間は、識別を要する音が発生しているとみなして録音する。
【００１７】
本発明に係る騒音測定における音の録音方法の第２の実施の形態は、図３に示すように、過去の測定時間ｔ3（例えば、１分）内にサンプリング周期Ｔ（例えば、１００ｍｓ）で測定した騒音レベルについて２種類の時間率騒音レベルＬx（例えば、Ｌ5とＬ95）をある時間間隔ｔ4（例えば、３分）毎に求め、その差（Ｌ5−Ｌ95）が所定の値（例えば、８ｄＢ）より小さい場合（Ｌ5−Ｌ95＜８）には、所定時間ｔ5（例えば、１５秒間）だけ録音するものである。ここで、用いる時間率騒音レベルＬxは、任意であり測定環境に応じて変えることができる。
【００１８】
５％時間率騒音レベルＬ5（騒音レベルがあるレベル以上である時間が測定時間ｔ3の５％を占める場合に、そのレベルを表す）と、９５％時間率騒音レベルＬ95（騒音レベルがあるレベル以上である時間が測定時間ｔ3の９５％を占める場合に、そのレベルを表す）の差を求めることにより、ある区間の騒音が定常的であるか否かの判定が容易になる。従って、条件式（Ｌ5−Ｌ95＜８）を満たす場合には、識別を要する音が発生しているとみなして所定時間ｔ5（例えば、１５秒間）だけ録音する。
【００１９】
本発明に係る騒音測定における音の録音方法の第３の実施の形態は、図４に示すように、過去の測定時間ｔ6（例えば、１分）内にサンプリング周期Ｔ（例えば、１００ｍｓ）で測定した騒音レベルについて時間率騒音レベルＬx（例えば、Ｌ50）と等価騒音レベルＬeqをある時間間隔ｔ7（例えば、３分）毎に求め、その差（Ｌ50−Ｌeq）が所定の値（例えば、８ｄＢ）より小さい場合（Ｌ50−Ｌeq＜８）には、所定時間ｔ8（例えば、１５秒間）だけ録音するものである。
【００２０】
５０％時間率騒音レベルＬ50（騒音レベルがあるレベル以上である時間が測定時間ｔ5の５０％を占める場合に、そのレベルを表す）と、測定時間ｔ5内で騒音レベルと等しいエネルギーを持った連続定常音の騒音レベルを表す等価騒音レベルＬeqの差を求めることにより、ある区間の騒音が定常的であるか否かの判定が容易になる。従って、条件式（Ｌ50−Ｌeq＜８）を満たす場合には、識別を要する音が発生しているとみなして所定時間ｔ8（例えば、１５秒間）だけ録音する。
【００２１】
本発明に係る騒音測定における音の録音方法の第４の実施の形態は、図５に示すように、仮録音を常に行い、測定時間ｔ9（例えば、２０秒）毎にサンプリング周期Ｔ（例えば、１００ｍｓ）で測定した騒音レベルについて２種類の時間率騒音レベルＬx（例えば、Ｌ5とＬ95）を求め、その差（Ｌ5−Ｌ95）が所定の値（例えば、８ｄＢ）より小さい（Ｌ5−Ｌ95＜８）録音区間の録音データを有効にするものである。ここで、用いる時間率騒音レベルＬxは、任意であり測定環境に応じて変えることができる。
【００２２】
５％時間率騒音レベルＬ5と、９５％時間率騒音レベルＬ95の差を求めることにより、ある区間の騒音が定常的であるか否かの判定が容易になる。従って、条件式（Ｌ5−Ｌ95＜８）を満たす場合には、識別を要する音が発生しているとみなして、その録音区間の録音データを有効なものとして保存する。
【００２３】
本発明に係る騒音測定における音の録音方法の第５の実施の形態は、図６に示すように、仮録音を常に行い、測定時間ｔ10（例えば、２０秒）毎にサンプリング周期Ｔ（例えば、１００ｍｓ）で測定した騒音レベルについて時間率騒音レベルＬx（例えば、Ｌ50）と等価騒音レベルＬeqを求め、その差（Ｌ50−Ｌeq）が所定の値（例えば、８ｄＢ）より小さい場合（Ｌ50−Ｌeq＜８）には、その録音区間の録音データを有効にするものである。ここで、用いる時間率騒音レベルＬxは、任意であり測定環境に応じて変えることができる。
【００２４】
５０％時間率騒音レベルＬ50と等価騒音レベルＬeqの差を求めることにより、ある区間の騒音が定常的であるか否かの判定が容易になる。従って、条件式（Ｌ50−Ｌeq＜８）を満たす場合には、識別を要する音が発生しているとみなして、その録音区間の録音データを有効なものとして保存する。
【００２５】
本発明の第１の実施の形態〜第５の実施の形態においては、識別を要する音を判定するためのデータ（測定値）として、騒音レベルのサンプリング値Ｌp、等価騒音レベルＬeq、時間率騒音レベルＬxを用いているが、他に騒音レベルの最大値Ｌmax、最小値Ｌmin、ピーク音圧レベルＬpkなどを用いることもできる。
【００２６】
また、録音の可否を決定する条件式は、上記実施の形態のように１つの式に限定されるものではなく、複数の式であってもよい。例えば、条件式として、（Ｌp＞Ｌ1）、（Ｌeq＋１０＜Ｌp）、（Ｌ5−Ｌ95＜８）、（Ｌ50−Ｌeq＜８）の４式を用い、これらの４式が全て成り立つ場合にのみ識別を要する音と判断して録音することができる。また、４式のうち１つでも成り立つ場合に識別を要する音と判断して録音してもよいし、４式のうち２つ又は３つ成り立つ場合に識別を要する音と判断して録音することもできる。
【００２７】
また、録音可否の判定に用いる条件式とデータ（測定値）は、状況に応じて変えてもよい。例えば、測定開始時においては、条件式としてα1とα2を、データとしてβ1とβ2を使用するが、条件式α，α2が満たされると、条件式としてα3とα4を、データとしてβ3とβ4を使用する。このように、状況に応じて使用する条件式とデータを変えることによって、より測定環境の変化に適用した騒音振動測定が可能となる。
【００２８】
更に、過去の測定値βx(n)とさらに過去の測定値βx(n-１)からαx(βx(n)，βx(n-１))を算出し、録音の開始及び停止を判定することもできる。ここで、ｎは時間サンプルのｎ番目であり、ｎ-1はその一つ前の測定値を意味する。勿論、αz(βz(n)，αz(n-１))のように、前回計算して得られた値を、次回の計算の際の測定値βzなどと同様に測定値（入力値）として使用してもよい。このように、測定期間を通してダイナミックに録音の開始及び停止を判定する条件式と測定値（入力値）を変えることにより、より測定環境の変化に適用した騒音振動測定が可能となる。
【００３１】
請求項１に係る発明によれば、騒音レベルについて２種類の時間率騒音レベルＬxを計算し、それらの差が所定の値より小さい場合に所定時間だけ録音するので、識別を要する音を確実に録音することができる。
また、録音時間の無駄が少なくなるため、後処理作業の効率化が図れる。
【００３２】
請求項２に係る発明によれば、騒音レベルについて時間率騒音レベルＬxと等価騒音レベルＬeqを計算し、それらの差が所定の値より小さい場合に所定時間だけ録音するので、識別を要する音を確実に録音することができる。
また、録音時間の無駄が少なくなるため、後処理作業の効率化が図れる。
【００３３】
請求項３に係る発明によれば、仮録音を常に行い、ある測定時間毎に測定した騒音レベルについて２種類の時間率騒音レベルＬxを計算し、それらの差が所定の値より小さかった録音区間の録音データを有効にするので、識別を要する音を確実に録音することができる。
また、録音時間の無駄が少なくなるため、後処理作業の効率化が図れる。
【００３４】
請求項４に係る発明によれば、騒音レベルについて時間率騒音レベルＬxと等価騒音レベルＬeqを計算し、それらの差が所定の値より小さかった録音区間の録音データを有効にするので、識別を要する音を確実に録音することができる。
また、録音時間の無駄が少なくなるため、後処理作業の効率化が図れる。
【００３５】
請求項５に係る発明によれば、経験やノウハウなどに頼らずに測定環境の変化に適用して識別を要する音を確実に録音する装置を構成することができる。
また、録音時間の無駄が少なくなるため、後処理作業の効率化が図れる。
【図面の簡単な説明】
【図１】本発明に係る騒音測定における音の録音装置のブロック構成図
【図２】本発明の第１の実施の形態の説明図
【図３】本発明の第２の実施の形態の説明図
【図４】本発明の第３の実施の形態の説明図
【図５】本発明の第４の実施の形態の説明図
【図６】本発明の第５の実施の形態の説明図
【図７】従来の騒音振動測定における音の録音方法の説明図で、（ａ）は設定レベルを設けて録音する場合、（ｂ）は一定時間間隔毎にある時間だけ録音する場合
【符号の説明】
１…騒音計、２…処理手段、３…録音媒体、Ｌeq…等価騒音レベル、Ｌp…騒音レベルのサンプリング値（瞬時値）、Ｌx…時間率騒音レベル。
【図１】
0003995040.tif 000002
【図２】
0003995040.tif 000003
【図３】
0003995040.tif 000004
【図４】
0003995040.tif 000005
【図５】
0003995040.tif 000006
【図６】
0003995040.tif 000007
【図７】
0003995040.tif 000008